(57)【要約】【課題】手帳、ノート、メモ帳、卓上カレンダー等の製本物において、自分で書いた決意や目標が手帳やノート、メモ帳の使用時に常に見えるように構成して、常に意識できるように構成した製本物を提供する。【解決手段】製本された手帳の後半や最終部に決意や目標等の記載ページとなるスペアページを含む複数枚の書き込みページを付加して製本し、該複数枚の書き込みページの手前に綴じられる本体ページを貫通する型抜き孔を各ページの上部位置に穿設し、該穿設された型抜き孔の底辺部に配置された書き込みページ上の記載はどの本体ページからも型抜き孔を介して目に入るように構成した製本物。【選択図】図２
2020100004.tif 000002
【特許請求の範囲】
【請求項１】
年間や月間等のカレンダーから成るページ、一週間毎や日毎の記録部から成るページ、そしてノートやメモ部のページ等から成る本体ページが各群をなして配列され一冊に製本されている手帳において、該製本された手帳の後半部に決意や目標等の記載ページと成るスペアページを含む複数枚の書き込みページを付加して製本し、該複数枚の書き込みページの手前に綴じられるノートやメモ部のページ、一週間毎や日毎の記録部から成るページ、年間や月間等のカレンダーから成るページ等の本体ページを貫通する型抜き孔を前記各ページの上部位置に穿設し、該穿設された型抜き孔の底辺部に配置された書き込みページ上の記載はどの本体ページからも前記型抜き孔を介して目に入るように構成し、該書き込みページの表にはその年やその期間における決意や目標を自分で記載しておくことにより年間や月間等カレンダーから成るページや一週間毎や日毎の記録部から成るページ等の本体ページを開いて手帳を利用する際に前記書き込みページに記載した決意や目標が前記型抜き孔から常に目に入り意識できることを特徴とする製本物。
【請求項２】
前記製本物は表紙と裏紙間に白紙ページや罫線や方眼等が印刷された本体ページが製本されたノートやメモ帳、該ノートやメモ帳の本体ページの最終部に目標等の記載ページとなるスペアページを含む複数枚の書き込みページを付加して製本し、該本体ページを貫通する型抜き孔を各ページの上部位置に穿設し、該穿設された型抜き孔の底辺部に配置された書き込みページ上の記載はどの本体ページからも前記型抜き孔を介して目に入るように構成し、該書き込みページの表にはそのノートやメモ帳を使い始めた時の決意や目標を自分で記載しておくことによりノートやメモ帳を開いて利用する際に前記自分で書いた決意や目標が型抜き孔から常に目に入り意識できることを特徴とする請求項１に記載された製本物。
【請求項３】
前記製本物はスタンド台座を構成する表紙と裏紙間に１２カ月間の１２枚から６枚のカレンダー本体ページが製本された卓上カレンダー、該カレンダー本体ページの裏紙または裏紙手前の最終部に目標等の記載ページとなるスペアページを含む複数枚の書き込みページを付加して製本し、該カレンダー本体ページを貫通する型抜き孔をカレンダー本体ページの任意位置に穿設し、該穿設された型抜き孔の底辺部に配置された書き込みページ上の記載はカレンダー本体ページのどの月のページからも前記型抜き孔を介して目に入るように構成し、該書き込みページの表にはその年の決意や目標を自分で記載しておくことによりカレンダーの利用初めに書き込みページに自分で書いた決意や目標がカレンダーの利用時に前記型抜き孔から常に目に入り意識できることを特徴とする請求項１及び請求項２に記載された製本物。
【請求項４】
前記手帳、ノートやメモ帳そして卓上カレンダーの本体ページに貫通して穿設される型抜き孔は長方形であり、該型抜き孔の穿設位置は前記本体ページの上部位置で上端部寄りであることを特徴とする請求項１乃至請求項３に記載された製本物。
【請求項５】
前記手帳、ノートやメモ帳そして卓上カレンダーの本体ページに貫通して穿設される型抜き孔は楕円形であり、該型抜き孔の穿設位置は前記本体ページの上部位置で上端部寄りであることを特徴とする請求項１乃至請求項３に記載された製本物。
【請求項６】
前記手帳、ノートやメモ帳そして卓上カレンダーの本体ページに貫通して穿設される型抜き孔は長楕円形であり、該型抜き孔の穿設位置は前記本体ページの上部位置で上端部寄りであることを特徴とする請求項１乃至請求項３に記載された製本物。
【請求項７】
前記手帳、ノートやメモ帳そして卓上カレンダーの本体ページに貫通して穿設される型抜き孔は円形であり、該型抜き孔の穿設位置は前記本体ページの上部位置で上端部寄りにあり、該上端部で右側または左側であることを特徴とする請求項１乃至請求項３に記載された製本物。
【請求項８】
前記手帳、ノートやメモ帳そして卓上カレンダーにおいて穿設された型抜き孔の底辺部に配置された綴じられる書き込みページはスペアページを有する２〜３枚のページを有しており、該スペアページは綴じ元付近から自由に切り離しできる構成として決意や目標等の変更や記載ミスに対応可能としたことを特徴とする請求項１乃至請求項７に記載された製本物。
【発明の詳細な説明】
【技術分野】
【０００１】
本発明は、手帳、ノート、メモ帳、卓上カレンダー等の製本物において、その購入者が自身の決意や目標をページの後半や最終部に記載しておき、その決意や目標が、本体ページを利用する際に常に目に入り意識できるように構成した製本物を提供するものである。
【０００２】
例えば、手帳は、年間や月間等のカレンダーから成るページ、一週間毎や日毎の記録部から成るページ、そしてノートやメモ部のページ等から構成される本体ページが夫々群をなして一冊に製本されている。本発明では、この製本された手帳の後半部や最終部に目標等の記載ページとなるスペアページを含む複数枚の書き込みページを付加して製本し、該複数枚の書き込みページの手前に綴じられるノートやメモ部のページ、一週間毎や日毎の記録部から成るページ、年間や月間等のカレンダーから成るページ等の本体ページを貫通する型抜き孔をその本体ページの上部位置に穿設するもので、穿設された型抜き孔の底辺部に配置された書き込みページ上の記載はどの本体ページからも前記型抜き孔を介して目に入るように構成されており、書き込みページの表には、その年や期間の決意や目標を自分で記載しておくことにより、年間や月間等のカレンダーから成るページ、一週間毎や日毎の記録部から成るページ等の本体ページを利用する際に、即ち手帳の利用時に自分で書いた決意や目標等が前記型抜き孔から常に目に入り意識できる手帳等の製本物を提供するものである。
【０００３】
また、ノートやメモ帳においては、表紙と裏紙間に白紙ページや罫線や方眼等が印刷された本体ページが製本されており、本発明では、このノートやメモ帳の本体ページの最終部に決意や目標等の記載ページとなるスペアページを含む複数枚の書き込みページを付加して製本し、前記本体ページを貫通する型抜き孔を各ページの上部位置に穿設するもので、穿設された型抜き孔の底辺部に配置された書き込みページ上の記載はどの本体ページからも前記型抜き孔を介して目に入るように構成されており、書き込みページの表には、そのノートやメモ帳を使い始めた時の決意や目標を自分で記載しておくことにより、ノートやメモ帳を開いて利用する際に、前記自分で書いた決意や目標等が型抜き孔から常に目に入り意識できるノートやメモ帳等の製本物を提供するものである。
【０００４】
更に、卓上カレンダー等においては、その多くがリング綴じを用いた製本物であり、スタンド台座を構成する表紙と裏紙間に１２カ月間、１２枚から６枚のカレンダー本体ページが製本されている。本発明では、このカレンダー本体ページの裏紙、または裏紙手前の最終部に目標等の記載ページとなるスペアページを含む複数枚の書き込みページを付加して製本して、カレンダー本体ページを貫通する型抜き孔を各カレンダーページの上部位置や任意位置に穿設するもので、穿設された型抜き孔の底辺部に配置された書き込みページ上の記載はカレンダー本体ページのどの月のページからも前記型抜き孔を介して目に入るように構成されており、書き込みページの表には、その年の決意や目標等を自分で記載しておくことにより、カレンダーの利用初めに書き込みページに自分で書いた決意や目標が、カレンダーの利用時に前記型抜き孔から常に目に入り意識できる卓上カレンダー等の製本物を提供するものである。
【０００５】
斯くして、本発明は、日本の書初めの習慣を活かしその年の決意や目標等を使い始める手帳やノート、メモ帳、そして卓上カレンダー等の最終部に設ける書き込みページに自分で記載し、その自分で書いた決意や目標が手帳やノート、メモ帳の使用時に、そして卓上カレンダー等においてはカレンダーの利用時に本体ページの型抜き孔から見えるように配置して、前記自分で書いた決意や目標が常に意識できるように構成した製本物を提供するものである。
【背景技術】
【０００６】
手帳、ノート、メモ帳、冊子等の製本物において、表紙と裏紙間に綴じられる本体ページの形状を加工した発明として、特開２０１８−３８２４４号（以下、特許文献１と称する）がある。特許文献１の発明は、従来の月間カレンダー群、週間ページ群、付属ページ群の序列で配列されたスケジュール手帳においては各ページ群のページ間の連動性の欠如があるため各ページ群を併用することが困難であると云う欠点を解決するためになされたものである。
【０００７】
特許文献１の発明は、全ページ構成が補助ページ群・メインページ群の順序で配列されている製本物であって、前記補助ページ群から前記メインページ群に渡る小口箇所に、手で簡単にちぎり取ることができるミシン目加工部を有し、また前記メインページ群の見開き左ページの補助ページ群における小口箇所に、前記補助ページ群のインデックス加工部が少なくとも１つ以上形成され、かつ前記インデックス加工部表面がページの流れの方向に向いて形成されており、そして前記インデックス加工部のページ裏側位置には、同じ内容のインデックス裏面表示がページ流れの前方向に向いて表記され、かつそのページから遡って冒頭ページまで渡り前記インデックス裏面表示が連続して表記されており、さらに前記メインページ群における小口箇所には前記インデックス加工部の加工範囲と同範囲の切り抜き加工部が形成され、さらに前記ミシン加工部と前記インデックス加工部、そして前記切り抜き加工部を有した範囲以外の小口箇所には、全ページ通して手指を掛けて捲りやすい平面加工部を一定範囲で形成しているものである。
【０００８】
そして、特許文献１の発明は、各ページにミシン目加工部、インデックス加工部、切り抜き加工部が設けられおり、手帳の利用者は、ミシン目加工部、インデックス加工部、切り抜き加工部を利用することにより、最新の週間ページ群（メインページ群）を起点として月間カレンダー群（補助ページ群）や付属ページ群（補助ページ群）への容易なアプローチ、最新の週間ページと月間カレンダー群とのページ間の行き来を何度も繰り返し容易できるようにして、全ページ間の連動を限りなく向上可能で、各ページ群の併用を容易にしたスケジュール手帳（製本物）を提供しているものであるが、本発明の如く、手帳、ノート、メモ帳、卓上カレンダー等の製本物において、その購入者が自身の決意や目標をページの最終部に記載しておき、その決意や目標が、本体ページを利用する際に常に目に入り意識できるように構成した製本物を提供するものではない。
【０００９】
また、手帳の裏カバーに窓を設けた構成の手帳に関する考案が、実開昭５９−１６９９７１号（以下、特許文献２と称する）として開示されている。特許文献２の考案は、手帳のカバーに窓を設け、窓を透明なシートで被い手帳を開かずに内部の着脱自在カードの一部が読めるようにした窓付き手帳に関するものである。従来の手帳は、電話する際にアドレス部を開き片手で押さえながらダイヤルを回さならばならず特に公衆電話のような狭い所では面倒であつた。また、手帳に印象に残る名言をメモしても、すぐにメモしたことを自体も忘れてしまうと云う欠点を有している。
【００１０】
特許文献２の考案は、上記の欠点を軽減し、従来の手帳の機能（予定表、アドレス帳、メモ帳、カレンダー等）に暗記（単語）帳の機能を加え、手帳をより便利にするために考案されたもので、その構成は、手帳の裏カバーに窓を設け、該窓を透明シートで覆う、該窓の合わせ面にカード保持具を設け、該保持具にカードを嵌着する。また、前記窓を裏カバーに設ける代わりに表カバーに窓を設けたものや前記透明シートを半透明シートにしたものである。
【００１１】
そして、特許文献２の考案は、手帳の裏カバーや表カバーを透明シートや半透明シートで被った窓に加工するとともに、その合わせ面にカード保持具を設けて手帳に暗記機能や窓を介しての検索機能、そして常に意識していたいことを窓を通して視覚にうったえると云った機能を有する窓付手帳の考案が開示されている。然しながら、特許文献２の窓付手帳では、本発明の如く、製本された手帳の本体ページ最終部に決意や目標等の記載ページとなるスペアページを含む複数枚の書き込みページを付加して製本し、該複数枚の書き込みページの手前に綴じられるノートやメモのページ、週間カレンダーのページ、年間カレンダーのページ等を貫通する型抜き孔を各ページの上部位置に穿設し、その穿設された型抜き孔の底辺部に配置された書き込みページ上の記載はどのページからも前記型抜き孔を介して目に入るように構成しているものではない。
【００１２】
従って、特許文献２の考案では、本発明における手帳の如く、書き込みページに記載されるその年の決意や目標は、手帳の表紙を開いて初めて目に入るように構成して、心に秘めた決意や目標を他人に容易に公開や拡散させることもなく、自分自身は手帳の使用時に常に意識することができると云う独自の効果を生じることもない。そして、特許文献２の考案では、本発明の如く、メインの週間カレンダーのページを開いて手帳を利用した時は、月日の経過と共に残りのページの厚みが減り、記載した決意や目標までの残り日数や道程を高く意識することも不可能である。
【先行技術文献】
【特許文献】
【００１３】
【特許文献１】特開２０１８−３９２４４号公報
【００１４】
【特許文献２】実開昭５９−１６９９７１号公報
【発明の概要】
【発明が解決しようとする課題】
【００１５】
斯くして、本発明は、手帳、ノート、メモ帳、卓上カレンダー等の製本物において、日本の書初めの習慣を活かしその年の決意や目標等を使い始める手帳やノート、メモ帳、そして卓上カレンダー等の後半や最終部に設ける書き込みページに自分で記載し、その自分で書いた決意や目標が手帳やノート、メモ帳の使用時に、そして卓上カレンダー等においてはカレンダーの利用時に本体ページの型抜き孔から見えるように配置して、前記自分で書いた決意や目標が常に意識できるように構成した製本物を提供するものである。
【課題を解決するための手段】
【００１６】
本発明を例えば、手帳において実施すれば、手帳は一般的に年間や月間等のカレンダーから成るページ、メインの一週間毎や日毎の記録部から成るページ、そしてノートやメモ部から成るページが手帳の本体ページを構成しており、それらのページが各群をなして一冊に製本されている。本発明では、この製本された手帳の本体ページの後半部に目標等の記載ページとなるスペアページを含む複数枚の書き込みページを付加して製本し、該複数枚の書き込みページの手前に綴じられる、ノートやメモ部のページ、一週間毎や日毎の記録部のページ、年間や月間等のカレンダーのページ等を貫通する型抜き孔を各ページの上部位置に穿設するもので、穿設された型抜き孔の底辺部に配置された書き込みページ上の記載はどのページからも前記型抜き孔を介して目に入るように構成されており、書き込みページの表には、その年の決意や目標を自分で記載しておくことにより、年間カレンダーのページや週間カレンダーのページ等を利用する際に、即ち手帳の利用時に自分で書いた決意や目標等が前記型抜き孔から常に目に入り意識できる手帳（製本物）を提供するものである。
【００１７】
また、本発明をノートやメモ帳において実施すれば、ノートやメモ帳は、表紙と裏紙間に白紙ページや罫線や方眼等が印刷された本体ページが製本されており、本発明では、このノートやメモ帳の本体ページの最終部に目標等の記載ページとなるスペアページを含む複数枚の書き込みページを付加して製本し、前記本体ページを貫通する型抜き孔を各ページの上部位置に穿設するもので、穿設された型抜き孔の底辺部に配置された書き込みページ上の記載はどの本体ページからも前記型抜き孔を介して目に入るように構成されており、書き込みページの表には、そのノートやメモ帳を使い始めた時の決意や目標を自分で記載しておくことにより、ノートやメモ帳を開いて利用する際に、前記自分で書いた決意や目標等が型抜き孔から常に目に入り意識できるノートやメモ帳等の製本物を提供するものである。
【００１８】
更に、本発明を卓上カレンダー等において実施すれば、その多くがリング綴じを用いた製本物であり、スタンド台座を構成する表紙と裏紙間に１２カ月間、１２枚から６枚のカレンダー本体ページが製本されている。本発明では、このカレンダー本体ページの裏紙、または裏紙手前の最終部に目標等の記載ページとなるスペアページを含む複数枚の書き込みページを付加して製本して、カレンダー本体ページを貫通する型抜き孔を各カレンダーページの上部位置に穿設するもので、穿設された型抜き孔の底辺部に配置された書き込みページ上の記載はカレンダー本体ページのどの月のページからも前記型抜き孔を介して目に入るように構成されており、書き込みページの表には、その年の決意や目標等を自分で記載しておくことにより、カレンダーの利用初めに書き込みページに自分で書いた決意や目標が、カレンダーの利用時に前記型抜き孔から常に目に入り意識できる卓上カレンダー等の製本物を提供するものである。
【００１９】
本発明は、日本の書初めの習慣を活かしその年の決意や目標等を使い始める手帳やノート、メモ帳、そして卓上カレンダー等の最終頁に自分で記載し、その自分で書いた決意や目標が手帳やノート、メモ帳、そしてカレンダーの使用時や利用時に常に目に入り意識できるように構成した製本物を提供するものである。
【発明の効果】
【００２０】
斯くして、本発明の製本物は、年間や月間のカレンダーから成るページ、メインの一週間毎や日毎の記録部から成るページ、ノートやメモ部から成るページ等より構成された本体ページが各群をなして配列され一冊に製本されている手帳において、その製本された手帳の後半部に自分の決意や目標等の記載ページとなるスペアページを含む複数枚の書き込みページを付加して製本し、前記複数枚の書き込みページの手前に綴じられるノートやメモ部から成るページ、一週間毎や日毎の記録部から成るページ、年間や月間のカレンダーから成るページ等より構成された本体ページを貫通する型抜き孔を各ページの上部位置に穿設し、前記穿設された型抜き孔の底辺部に配置された書き込みページ上の記載はどの本体ページからも前記型抜き孔を介して目に入るように構成し、該書き込みページの表にはその年の決意や目標を自分で記載しておくことにより年間カレンダーのページや週間カレンダー等の本体ページを開いて手帳を利用する際に前記決意や目標が前記型抜き孔から常に目に入り意識できる手帳を提供するものであり、前記書き込みページに記載されるその年の決意や目標は、手帳の表紙を開いて初めて目に入るように構成したもので心に秘めた決意や目標を他人に容易に公表したり、目に入れることもなく自分自身は常に意識することができる。そして、本発明は、メインの週間カレンダーのページを開いて手帳を利用した時には、月日の経過と共に残りのページの厚みが減り、記載した決意や目標までの残り日数や道程を高く意識することができるものである。
【００２１】
また、本発明の製本物は、表紙と裏紙間に白紙ページや罫線や方眼等が印刷された本体ページが製本されたノートやメモ帳にも実施できるもので、その場合、ノートやメモ帳の本体ページの最終部に目標等の記載ページとなるスペアページを含む複数枚の書き込みページを付加して製本し、その本体ページを貫通する型抜き孔を各ページの上部位置に穿設し、前記穿設された型抜き孔の底辺部に配置された書き込みページ上の記載はどの本体ページからも前記型抜き孔を介して目に入るように構成し、書き込みページの表にはそのノートやメモ帳を使い始めた時の決意や目標を自分で記載しておくことによりノートやメモ帳を開いて利用する際に自分で書いた決意や目標が型抜き孔から常に目に入るように構成したもので、心に秘めた決意や目標を他人に容易に公表したり、目に入れることもなく自分自身は常に意識することができる。そして、本発明は、ノートやメモ帳のメインページを開いて利用した時に、その利用頻度と経過により残りのページの厚みが減り、記載した決意や目標までの残り日数や道程を高く意識することができるものである。      
【００２２】
更に本発明の製本物は、スタンド台座を構成する表紙と裏紙間に１２カ月間の１２枚から６枚のカレンダー本体ページがリング綴じされた卓上カレンダーにも実施できるものであり、その場合には、卓上カレンダーのカレンダー本体ページの裏紙または裏紙手前の最終部に目標等の記載ページとなるスペアページを含む複数枚の書き込みページを付加して製本し、そのカレンダー本体ページを貫通する型抜き孔をカレンダー本体ページの上部位置や任意位置に穿設し、穿設された型抜き孔の底辺部に配置された書き込みページ上の記載はカレンダー本体ページのどの月のページからも前記型抜き孔を介して目に入るように構成し、該書き込みページの表にはその年の決意や目標を自分で記載しておくことにより、カレンダーの利用初めに書き込みページに自分で書いた決意や目標がカレンダーの利用時に前記型抜き孔から常に目に入り意識できるように構成したもので、発明の実施が個人性を重視した卓上カレンダーであれば、心に秘めた決意や目標を他人に容易に公表したり、目に入れることもなく自分自身は常に意識することができ、また、本発明を通常のカレンダーにおいて実施すれば、仕事上のスローガンや安全標語等、より大勢の人々が常に意識するカレンダーが提供可能である。そして、本発明は、カレンダーを利用した際に、その月日の経過により残りのページの厚みが減り、記載した決意や目標、仕事上のスローガンや安全標語等を月日や日数を認識しながら高く意識することができるものである。
【００２３】
そして、本発明は、日本の書初めの習慣を活かしその年の決意や目標等を使い始める手帳やノート、メモ帳、そして卓上カレンダーやカレンダー等の最終頁に自分で記載し、その自分で書いた決意や目標が手帳やノート、メモ帳、そしてカレンダーの使用時や利用時に、個人的に常に目に入り意識できるように構成した種々の新しい製本物を提供することができ、該製本物の前記手帳、ノートやメモ帳そして卓上カレンダーの本体ページに貫通して穿設される型抜き孔は長方形や長楕円形そして円形で、該型抜き孔の穿設位置は本体ページの上部位置で上端部寄りに設けることにより、手帳やノート、メモ帳、そして卓上カレンダーにおいて利用者の手帳、ノート、メモ欄への書き込みやマーキングの際に前記型抜き孔が邪魔にならない手帳、ノートやメモ帳そして卓上カレンダーを提供することができるものである。
【図面の簡単な説明】
【００２４】
【図１】本発明の製本物で手帳を説明する斜視説明図である。
【図２】図１の手帳を開いた状態を説明する斜視図である。
【図３】（Ａ）は型抜き孔の形状を説明するもので楕円形図。（Ｂ）は型抜き孔の形状を説明する長楕円形図。（Ｃ）は型抜き孔の形状を説明する円形図。
【図４】本発明のノートやメモ帳を説明する斜視説明図である。
【図５】図４のノート又はメモ帳を開いた状態を説明する斜視図である。
【図６】本発明の卓上カレンダーを説明する斜視説明図である。
【図７】図６の卓上カレンダーの使用状態を説明する斜視説明図である。
【発明を実施するための形態】
【００２５】
本発明は、手帳、ノート、メモ帳、卓上カレンダー等の製本物において、日本の書初めの習慣を活かしその年の決意や目標等を使い始める手帳やノート、メモ帳、そして卓上カレンダー等の最終部に設ける書き込みページに自分で記載し、その自分で書いた決意や目標が手帳やノート、メモ帳の使用時に、そして卓上カレンダー等においてはカレンダーの利用時に本体ページの型抜き孔から見えるように配置して、前記自分で書いた決意や目標が常に意識できるように構成した製本物を提供するものである。
【００２６】
本発明を例えば、手帳において実施すれば、手帳は一般的に年間や月間カレンダーから成るページ、メインの一週間毎や日毎の記録部から成るページ、ノートやメモ部から成るページ等により構成された本体ページとして夫々群をなして一冊に製本されている。本発明では、この製本された手帳の本体ページ後半や最終部に目標等の記載ページとなるスペアページを含む複数枚の書き込みページを付加して製本し、該複数枚の書き込みページの手前に綴じられるノートやメモ部から成るページ、一週間毎や日毎の記録部から成るページ、年間や月間カレンダーから成るページ等の本体ページを貫通する型抜き孔を各ページの上部位置に穿設するもので、穿設された型抜き孔の底辺部に配置された書き込みページ上の記載はどのページからも前記型抜き孔を介して目に入るように構成されており、書き込みページの表には、その年やその期間の決意や目標を自分で記載しておくことにより、年間カレンダーのページや週間カレンダーのページ等を利用する際に、即ち手帳の利用時に自分で書いた決意や目標等が前記型抜き孔から常に目に入り意識できる手帳（製本物）を提供するもので、前記書き込みページに記載されるその年の決意や目標は、手帳の表紙を開いて初めて目に入るように構成したもので、心に秘めた決意や目標を他人に容易に公表したり、目に入れることもなく自分自身は常に意識することができる。そして、本発明は、メインの週間カレンダーのページを開いて手帳を利用した時には、月日の経過と共に残りのページの厚みが減り、記載した決意や目標までの残り日数や道程を高く意識することができる製本物を提供するものである。
【００２７】
また、本発明をノートやメモ帳において実施すれば、ノートやメモ帳は、表紙と裏紙間に白紙ページや罫線や方眼等が印刷された本体ページが製本されており、本発明では、このノートやメモ帳の本体ページの最終部に目標等の記載ページとなるスペアページを含む複数枚の書き込みページを付加して製本し、前記本体ページを貫通する型抜き孔を各ページの上部位置に穿設するもので、穿設された型抜き孔の底辺部に配置された書き込みページ上の記載はどの本体ページからも前記型抜き孔を介して目に入るように構成されており、書き込みページの表には、そのノートやメモ帳を使い始めた時の決意や目標を自分で記載しておくことにより、ノートやメモ帳を開いて利用する際に、前記自分で書いた決意や目標等が型抜き孔から常に目に入り意識できるノートやメモ帳等の製本物を提供するもので、心に秘めた決意や目標を他人に容易に公表したり、目に入れることもなく自分自身は常に意識することができる。そして、本発明は、ノートやメモ帳のメインページを開いて利用した時に、その利用頻度と経過により残りのページの厚みが減り、記載した決意や目標までの残り日数や道程を高く意識することができる製本物を提供するものである。      
【００２８】
更に、本発明を卓上カレンダー等において実施すれば、その多くがリング綴じを用いた製本物であり、スタンド台座を構成する表紙と裏紙間に１２カ月間、１２枚から６枚のカレンダー本体ページが製本されている。本発明では、このカレンダー本体ページの裏紙、または裏紙手前の最終部に目標等の記載ページとなるスペアページを含む複数枚の書き込みページを付加してリング綴じ製本して、カレンダー本体ページを貫通する型抜き孔を各カレンダーページの上部位置や任意位置に穿設するもので、穿設された型抜き孔の底辺部に配置された書き込みページ上の記載はカレンダー本体ページのどの月のページからも前記型抜き孔を介して目に入るように構成されており、書き込みページの表には、その年の決意や目標等を自分で記載しておくことにより、カレンダーの利用初めに書き込みページに自分で書いた決意や目標が、カレンダーの利用時に前記型抜き孔から常に目に入り意識できる卓上カレンダー等の製本物を提供するもので、発明の実施が個人性を重視した卓上カレンダーであれば、心に秘めた決意や目標を他人に公表したり、目に入れることもなく自分自身は常に意識することができ、また、本発明を通常のカレンダーにおいて実施すれば、仕事上のスローガンや安全標語等、より大勢の人々が常に意識するカレンダーが提供可能である。そして、本発明は、カレンダーを利用した際に、その月日の経過により残りのページの厚みが減り、記載した決意や目標、仕事上のスローガンや安全標語等を月日や日数を認識しながら高く意識することができる製本物を提供するものである。
【００２９】
そして、本発明は、日本の書初めの習慣を活かしその年の決意や目標等を使い始める手帳やノート、メモ帳、そして卓上カレンダーやカレンダー等の最終頁に自分で記載し、その自分で書いた決意や目標が手帳やノート、メモ帳、そしてカレンダーの使用時や利用時に、個人的に常に目に入り意識できるように構成した種々の新しい製本物を提供することができ、該製本物の前記手帳、ノートやメモ帳そして卓上カレンダーの本体ページに貫通して穿設される型抜き孔は長方形や長楕円形そして円形で、該型抜き孔の穿設位置は本体ページの上部位置で上端部寄りに設けることにより、手帳やノート、メモ帳、そして卓上カレンダーにおいて利用者の手帳、ノート、メモ欄への書き込みやマーキングの際に前記型抜き孔が邪魔にならない手帳、ノートやメモ帳そして卓上カレンダー等の製本物を提供するものである。
【実施例１】
【００３０】
図１及び図２において１は手帳を示しており、２は表紙、３は裏紙であり、表紙２と裏紙３間には、例えば、年間や月間カレンダーから成るページ、メインの週間毎や日毎の記録部から成るページ、ノートやメモ部から成るページ等から構成された本体ページ４が製本物として綴じられている。また、５は、手帳１の本体ページ４の最終部に設けられる自分の決意や目標等の記載ページとなる書き込みページであり、該書き込みページ５は書き損じや変更に対応できる複数枚のスペアページを有するページである。そして、決意や目標等の書き込みページ５は前記本体ページ４の小口部６に設けられたフック７の底辺部８に位置しており、該フック７の底辺部に位置するインデックス９が設けられていて、決意や目標等を書初めする書き込みページ５を何時でも簡単に開けることができる構成となっている。
【００３１】
図２は、例えば手帳１の週間毎の記録部から成るページ１０の一部を開いたもので、該週間毎の記録部からなるページ１０の上部位置には、前記複数枚の書き込みページ５の手前に綴じられるノートやメモ部から成るページ、週間毎や日毎の記録部から成るページ、年間や月間カレンダーから成るページ等から構成される本体ページ４を貫通する長方形の型抜き孔１１を各ページの上部位置に穿設し、該穿設された長方形の型抜き孔１１の底辺部８に配置された書き込みページ５上の記載はどの本体ページ４からも前記長方形の型抜き孔１１を介して手帳１を開いて使用しているときに、常に目に入るように構成している。
【００３２】
また、図３は前記手帳１の年間や月間カレンダーから成るページ、メインの週間毎や日毎の記録部から成るページ、ノートやメモ部から成るページ等から構成された本体ページ４に穿たれ、該本体ページ４を貫通する長方形の型抜き孔１１に代わる形状例を示すもので、図３（Ａ）は楕円形の型抜き孔１２を示し、図３（Ｂ）は長楕円形の型抜き孔１３を示し、図３（Ｃ）は円型の型抜き孔１４を示しており、それらは、前記年間や月間カレンダーから成るページ、メインの週間毎や日毎の記録部から成るページ、ノートやメモ部から成るページ等が構成する手帳２の本体ページ４を貫通する型抜き孔で、本体ページ４の上部位置に穿設され、デザイン的な変化をもたらしている。
【００３３】
而して、実施例１は、年間や月間カレンダーから成るページ、メインの週間毎や日毎の記録部から成るページ、ノートやメモ部から成るページ等から構成された本体ページ４が夫々群をなして配列され一冊に製本されている手帳１において、該製本された手帳１の後半部や最終部に決意や目標等の記載ページとなるスペアページを含む複数枚の書き込みページ５を付加して製本し、該複数枚の書き込みページ５の手前に綴じられる年間や月間カレンダーから成るページ、メインの週間毎や日毎の記録部から成るページ、ノートやメモ部から成るページ等から構成された本体ページ４を貫通する長方形の型抜き孔１１や楕円形の型抜き孔１２、そして長楕円形の型抜き孔１３等を任意に選んで各ページの上部位置に穿設し、該穿設された型抜き孔１１、１２、１３等の底辺部８に配置された書き込みページ５上の記載は、どの本体ページ４からも前記型抜き孔１１を介して目に入るように構成し、該書き込みページ５の表にはその年やその期間における決意や目標を自分で記載しておくことにより週間毎の記録部から成るページ１０や年間や月間カレンダーから成るページ等の本体ページ４を開いて手帳１を利用する際に、前記決意や目標が前記型抜き孔１１から常に目に入り意識できることを特徴とする製本物で、前記書き込みページ５に記載されるその年やその期間の決意や目標は、手帳１の表紙２を開いて初めて目に入るように構成しており、心に秘めた決意や目標を他人に容易に公表したり、目に入れることもなく、自分自身は手帳１の使用により常に意識することができる。そして、実施例１は、メインの週間毎や日毎の記録部から成るページ等を開いて手帳を利用した際等に、月日の経過と共に残りのページの厚みが減り、記載した決意や目標までの残り日数や道程を高く意識することができる手帳を提供するものである。
【実施例２】
【００３４】
図４及び図５において、１５はノートやメモ帳を示しており、１６は表紙、１７は裏紙であり、表紙１６と裏紙１７間には、例えば、白紙のページや罫線（ノート）や方眼（メモ帳）等が印刷された本体ページ１８が製本されている。
【００３５】
図５は前記罫線が印刷された本体ページ１８を開いたもので、ノートやメモ帳の本体ページ１８の最終部に決意や目標等の記載ページとなるスペアページを含む複数枚の書き込みページ１９を付加して製本しており、該本体ページ１８を貫通する長方形の型抜き孔１１を各ページの上部位置に穿設し、該穿設された長方形の型抜き孔１１の底辺部２０に配置された書き込みページ１９上の記載はどの本体ページ１８からも前記長方形の型抜き孔１１を介して目に入るように構成し、該書き込みページ１９の表にはそのノートやメモ帳１５を使い始めた時の決意や目標を自分で記載しておくことによりノートやメモ帳１５を開いて利用する際に前記自分で書いた決意や目標が長方形の型抜き孔１１から常に目に入り意識できるように構成した。
【００３６】
また、図３は前記ノートやメモ帳１５の本体ページ１８に穿たれた本体ページ１８を貫通する長方形の型抜き孔１１に代わる形状例を示すもので、図３（Ａ）は楕円形の型抜き孔１２を示し、図３（Ｂ）は長楕円形の型抜き孔１３を示し、図３（Ｃ）は円型の型抜き孔１４を示し、それらは、前記ノートやメモ帳１５の本体ページ１８を貫通する型抜き孔で、本体ページ１８の上部位置に穿設され、デザイン的な変化をもたらしている。
【００３７】
而して、実施例２は、ノートやメモ帳の本体ページ１８の一部を開いた状態で、本体ページ１８の上部位置には、本体ページ１８を貫通する長方形の型抜き孔１１を各ページの上部位置に穿設し、該穿設された長方形の型抜き孔１１の底辺部２０に配置された書き込みページ１９上の記載は、どの本体ページ１８からも前記長方形の型抜き孔１１を介してノートやメモ帳１５を開いて使用しているときに、常に目に入るように構成している。また、本体ページ１８の最終部には、決意や目標等の記載ページとなるスペアページを含む複数枚の書き込みページ１９を付加して製本し、前記本体ページ１８を貫通する長方形の型抜き孔１１を各本体ページ１８の上部位置に穿設するもので、穿設された長方形の型抜き孔１１の底辺部２０に配置された書き込みページ１９上の記載はどの本体ページ１８からも前記長方形の型抜き孔１１を介して目に入るように構成されており、書き込みページ１９の表には、そのノートやメモ帳１５を使い始めた時の決意や目標を自分で記載しておくことにより、ノートやメモ帳１５を開いて利用する際に、前記自分で書いた決意や目標等が長方形の型抜き孔１１から常に目に入り意識できるノートやメモ帳１５等の製本物を提供するもので、心に秘めた決意や目標を他人に容易に公表したり、目に入れることもなく、自分自身は常に意識することができる。そして、実施例２は、ノートやメモ帳の本体ページ１８を開いて利用した時に、その利用頻度と経過により残りのページの厚みが減り、記載した決意や目標までの残り日数や道程を高く意識することができる製本物を提供するものである。      
【実施例３】
【００３８】
図６及び図７において、２１はリング綴じを用いた卓上カレンダーを示しており、スタンド台座２２を構成する表紙２３と裏紙２４間には、１２枚から６枚のカレンダー本体ページ２５がリング綴じされている。
【００３９】
実施例３は、このカレンダー本体ページ２５の裏紙２４、または裏紙２４の手前の最終部に目標等の記載ページとなるスペアページを含む複数枚の書き込みページ２６を付加してリング綴じ製本し、カレンダー本体ページ２５を貫通する長方形の型抜き孔１１を各カレンダー本体ページ２５の上部位置に穿設するもので、穿設された長方形の型抜き孔１１の底辺部２７に配置された書き込みページ２６上の記載はカレンダー本体ページ２５のどの月のページからも前記長方形の型抜き孔１１を介して目に入るように構成している。
【００４０】
また、図３（Ａ）は前記カレンダー本体ページ２５に穿たれた該カレンダー本体ページ２５を貫通する長方形の型抜き孔１１に代わる形状例を示すもので、図３（Ａ）は楕円形の型抜き孔１２を示し、図３（Ｂ）は長楕円形の型抜き孔１３を示し、図３（Ｃ）は円型の型抜き孔１４を示し、それらは、前記卓上カレンダー２１のカレンダー本体ページ２５を貫通する型抜き孔で、例えば、カレンダー本体ページ２５の上部位置に穿設され、デザイン的な変化をもたらしている。
【００４１】
而して、実施例３は、卓上カレンダー２１の書き込みページ２６の表に、その年の決意や目標等を自分で記載しておくことにより、カレンダー２１の利用初めに書き込みページ２６に自分で書いた決意や目標が、カレンダーの利用時に前記長方形の型抜き孔１１等から常に目に入り意識できる卓上カレンダー等の製本物を提供するものである。そして、実施例３が個人性を重視した卓上カレンダーであれば、心に秘めた決意や目標を他人に公表したり、目に入れることもなく自分自身は常に意識することができ、また、実施例３を通常のカレンダーにおいて実施すれば、仕事上のスローガンや安全標語等をカレンダーを見ることで、より大勢の人々が常に意識できるカレンダーが提供可能である。
【００４２】
斯くして、本発明は、カレンダーを利用した際に、その月日の経過により残りのページの厚みが減り、記載した決意や目標、仕事上のスローガンや安全標語等を月日や日数を認識しながら高く意識することができる製本物を提供するものである。
【符号の説明】
【００４３】
１  手帳
２  表紙
３  裏紙
４  本体ページ
５  書き込みページ
６  小口部
７  フック
８  底辺部
９  インデックス
１０  週間毎の記録部から成るページ
１１  長方形の型抜き孔
１２  楕円形の型抜き孔
１３  長楕円形の型抜き孔
１４  円型の型抜き孔
１５  ノートやメモ帳
１６  表紙
１７  裏紙
１８  本体ページ
１９  書き込みページ
２０  底辺部
２１  卓上カレンダー
２２  スタンド台座
２３  表紙
２４  裏紙
２５  カレンダーの本体ページ
２６  書き込みページ
【図１】
2020100004.tif 000003
【図２】
2020100004.tif 000004
【図３】
2020100004.tif 000005
【図４】
2020100004.tif 000006
【図５】
2020100004.tif 000007
【図６】
2020100004.tif 000008
【図７】
2020100004.tif 000009
【手続補正書】
【提出日】令和2年1月30日(2020.1.30)
【手続補正１】
【補正対象書類名】明細書
【補正対象項目名】０００６
【補正方法】変更
【補正の内容】
【０００６】
手帳、ノート、メモ帳、冊子等の製本物において、表紙と裏紙間に綴じられる本体ページの形状を加工した発明として、特開２０１８−３９２４４号（以下、特許文献１とする）がある。特許文献１の発明は、従来の月間カレンダー群、週間ページ群、付属ページ群の序列で配列されたスケジュール手帳においては各ページ群、付属ページ群の序列で配列されたスケジュール手帳においては各ページ群のページ間の連動性の欠如があるため各ページ群を併用することが困難であると云う欠点を解決するためになされたものである。
【手続補正２】
【補正対象書類名】特許請求の範囲
【補正対象項目名】全文
【補正方法】変更
【補正の内容】
【特許請求の範囲】
【請求項１】
年間や月間等のカレンダーのページ、メインとなる週間や日々のカレンダーのページ、ノートやメモの本体ページ等が各群をなして配列され一冊に製本されている手帳等の製本物において、
該製本された手帳の最終部に決意や目標等の記載ページとなるスペアページを含む複数枚の書き込みページを付加して製本し、
該複数枚の書き込みページの手前に綴じられる前記ノートやメモのページ、週間や日々のカレンダーのページ、年間や月間カレンダー等の本体ページを貫通する型抜き孔を各ページの上部位置に穿設し、
該穿設された型抜き孔の底辺部に設置された前記書き込みページ上の記載はどの本体ページからも前記型抜き孔を介して目に入るように構成し、
該書き込みページの表にはその年の決意や目標を自分で記載しておくことにより年間や月間等のカレンダーのページ、メインとなる週間や日々のカレンダーのページ、ノートやメモの本体ページ等を開いて手帳を利用する際に前記決意や目標が前記型抜き孔から常に目に入り意識できることを特徴とする手帳等の製本物。
【請求項２】
表紙と裏紙間に白紙や罫線、方眼等が印刷された本体ページが製本されているノートやメモ帳等の製本物において、
該ノートやメモ帳の本体ページの最終部に目標等の記載ページとなるスペアページを含む複数枚の書き込みページを付加して製本し前記本体ページを貫通する型抜き孔を各ページの上部位置に穿設し、
該穿設された型抜き孔の底辺部に配置された書き込みページ上の記載はどの本体ページからも前記型抜き孔を介して目に入るように構成し、
該書き込みページの表にはそのノートやメモ帳を使い始めた時の決意や目標を自分で記載しておくことによりノートやメモ帳を開いて利用する際に前記自分で書いた決意や目標が型抜き孔から常に目に入り意識できることを特徴とするノートやメモ帳等の製本物。
【請求項３】
スタンド台座を構成する表紙と裏紙間に１２カ月間の１２枚から６枚のカレンダー本体ページが製本された卓上カレンダー等の製本物において、
該カレンダー本体ページの裏紙または裏紙手前の最終部に目標等の記載ページとなるスペアページを含む複数枚の書き込みページを付加して製本し、
該カレンダー本体ページを貫通する型抜き孔をカレンダー本体の任意位置に穿設し、
該穿設された型抜き孔の底辺部に配置された書き込みページ上の記載はカレンダー本体ページのどの月のページからも前記型抜き孔を介して目に入るように構成し、
該書き込みページの表にはその年の決意や目標を自分で記載しておくことによりカレンダーの利用始めに書き込みページに自分で書いた決意や目標がカレンダーの利用時に前記型抜き孔から常に目に入り意識できることを特徴とする卓上カレンダー等の製本物。
【請求項４】
前記手帳、ノートやメモ帳そして卓上カレンダー等の製本物において本体ページに貫通して穿設される型抜き孔は長方形であり、
該長方形の型抜き孔の穿設位置は前記本体ページの上部位置で上端部寄りであることを特徴とする請求項１乃至請求項３に記載された製本物。
【請求項５】
前記手帳、ノートやメモ帳そして卓上カレンダー等の製本物において本体ページに貫通して穿設される型抜き孔は楕円形であり、
該楕円形の型抜き孔の穿設位置は前記本体ページの上部位置で上端部寄りであることを特徴とする請求項１乃至請求項３に記載された製本物。
【請求項６】
前記手帳、ノートやメモ帳そして卓上カレンダー等の製本物において本体ページに貫通して穿設される型抜き孔は長楕円形であり、
該長楕円の型抜き孔の穿設位置は前記本体ページの上部位置で上端部寄りであることを特徴とする請求項１乃至請求項３に記載された製本物。
【請求項７】
前記手帳、ノートやメモ帳そして卓上カレンダー等の製本物において本体ページに貫通して穿設される型抜き孔は円形であり、
該円型の型抜き孔の穿設位置は前記本体ページの上部位置で上端部寄りにあり、
該上端部で右側または左側であることを特徴とする請求項１乃至請求項３に記載された製本物。
【請求項８】
前記手帳、ノートやメモ帳そして卓上カレンダー等の製本物において穿設された型抜き孔の底辺部に配置され綴じられる書き込みページはスペアページを有する２〜３枚のページを有しており、
該スペアページは綴じ元付近から自由に切り離しできる構成として決意や目標等の変更や記載ミスに対向可能としたことを特徴とする請求項１乃至請求項７に記載された製本物。